(57)【特許請求の範囲】
【請求項１】
免震装置を上載して設置する免震基礎の構造であって、
前記免震装置を固定するための袋ナットを埋設して形成されるとともに、上面から下面に貫通する貫通孔を備えて形成され、コンクリートを打設し水平面状の上面を備えて構築した基礎スラブ上に設置されるプレキャストコンクリート盤と、
一端側を前記プレキャストコンクリート盤に、他端側を前記基礎スラブの内部にそれぞれ定着して設けられ、前記プレキャストコンクリート盤と前記基礎スラブを応力伝達可能に一体に固定する固定部材とを備え、
前記固定部材が、前記一端側に定着プレートを備えた定着プレート付き鉄筋であり、前記プレキャストコンクリート盤の貫通孔に定着プレートを備えた一端側を挿入するとともに、前記定着プレートが配された前記貫通孔内にグラウト材を充填して前記プレキャストコンクリート盤に定着されていることを特徴とする免震基礎構造。
【請求項２】
請求項１記載の免震基礎構造において、
前記固定部材が、プレストレスを導入して前記プレキャストコンクリート盤と前記基礎スラブとを圧着させるＰＣ鋼材であることを特徴とする免震基礎構造。
【請求項３】
請求項１または請求項２に記載の免震基礎構造において、
前記プレキャストコンクリート盤と前記基礎スラブとの間に、グラウト材が圧入して充填されていることを特徴とする免震基礎構造。
【発明の詳細な説明】
【技術分野】
【０００１】
本発明は、免震装置を上載して設置するための免震基礎構造に関する。
【背景技術】
【０００２】
従来、建物に免震性能を付与する免震装置１を設置する際には、例えば図４に示すように、コンクリートＴ１を打設して、凹状のダボ穴２ａを設けた建物の基礎スラブ２を構築する。ついで、袋ナット３をベースプレート４に取り付けてなるアンカーフレーム５をダボ穴２ａの上方の所定位置に設置した後に、ダボ穴２ａのコンクリート打継面２ｂから上方に突出する定着プレート付き鉄筋（差筋）６やダボ穴２ａ上に配筋した鉄筋７を埋設するように、再度高流動コンクリート等の後打ちコンクリートＴ２を打設して免震基礎８（免震基礎構造Ａ）を構築する。そして、免震基礎８のベースプレート４上に免震装置１を設置し、免震装置１を袋ナット３にアンカーボルト９を締結することによって固定する（例えば、特許文献１参照）。
【０００３】
この免震基礎構造Ａにおいては、アンカーボルト９に生じる引張力が定着プレート付き鉄筋６を介して基礎スラブ２に伝達され、また、上部より伝わるせん断力が、定着プレート付き鉄筋６に加え、免震基礎８の下端側と基礎スラブ２のダボ穴２ａ部分の支圧により基礎スラブ２に伝達される。
【先行技術文献】
【特許文献】
【０００４】
【特許文献１】特開２００６−８３６６２号公報
【発明の概要】
【発明が解決しようとする課題】
【０００５】
しかしながら、上記従来の免震基礎構造Ａにおいては、ベースプレート４（アンカーフレーム５）を設けることによりコストが割高になるという問題があった。
【０００６】
また、アンカーフレーム５（袋ナット３）を所定の寸法精度で設置する必要が生じるとともに後打ちコンクリートＴ２の打設が逆打ちになり、施工作業が煩雑であるため、アンカーフレーム５（ベースプレート４）の設置や後打ちコンクリートＴ２の充填に多大な労力を要し、工期が長期化するという問題があった。さらに、後打ちコンクリートＴ２の打設が逆打ちになることで、免震基礎８（免震基礎構造Ａ）の品質が低下するおそれもあった。
【０００７】
また、基礎スラブ２にダボ穴２ａを設けるには、浮き型枠を使用するため、基礎スラブ２の施工作業が煩雑になり、施工性が悪く、この点からも工期の長期化を招くという問題があった。
【０００８】
本発明は、上記事情に鑑み、ベースプレートを不要にしてコストの低減を図るとともに、施工性及び品質の向上を図ることが可能な免震基礎構造を提供することを目的とする。
【課題を解決するための手段】
【０００９】
上記の目的を達するために、この発明は以下の手段を提供している。
【００１０】
本発明の免震基礎構造は、免震装置を上載して設置する免震基礎の構造であって、前記免震装置を固定するための袋ナットを埋設して形成されるとともに、上面から下面に貫通する貫通孔を備えて形成され、コンクリートを打設し水平面状の上面を備えて構築した基礎スラブ上に設置されるプレキャストコンクリート盤と、一端側を前記プレキャストコンクリート盤に、他端側を前記基礎スラブの内部にそれぞれ定着して設けられ、前記プレキャストコンクリート盤と前記基礎スラブを応力伝達可能に一体に固定する固定部材とを備え、前記固定部材が、前記一端側に定着プレートを備えた定着プレート付き鉄筋であり、前記プレキャストコンクリート盤の貫通孔に定着プレートを備えた一端側を挿入するとともに、前記定着プレートが配された前記貫通孔内にグラウト材を充填して前記プレキャストコンクリート盤に定着されていることを特徴とする。
【００１１】
この発明においては、水平面状の上面を備えて構築した基礎スラブ上に、予め袋ナットを埋設して形成したプレキャストコンクリート盤を設置し、固定部材によってプレキャストコンクリート盤と基礎スラブを応力伝達可能に一体に固定して免震基礎構造を構築する。これにより、従来のベースプレートを用いることなく、プレキャストコンクリート盤を所定位置に設置するという簡便な操作で、袋ナットの寸法精度を容易に確保することが可能になる。
【００１２】
また、水平面状の上面を備えて構築した基礎スラブ上にプレキャストコンクリート盤を設置するように構成されているため、従来のベースプレートに加え、基礎スラブのダボ穴を不要にすることができるとともに、逆打ちとなる後打ちコンクリートの打設を不要にすることが可能になる。
【００１４】
また、固定部材として定着プレート付き鉄筋を用いることにより、プレキャストコンクリート盤と基礎スラブとを固定部材を介して一体に固定することが可能になる。そして、この固定部材によって、確実にプレキャストコンクリート盤と基礎スラブの間で応力（せん断力、引張力）を伝達させることが可能になる。
【００１５】
さらに、本発明の免震基礎構造においては、前記固定部材が、プレストレスを導入して前記プレキャストコンクリート盤と前記基礎スラブとを圧着させるＰＣ鋼材であることがより望ましい。
【００１６】
この発明においては、固定部材の全てにＰＣ鋼材を用いたり、固定部材としてＰＣ鋼材と定着プレート付き鉄筋と併用し、プレストレスを導入した状態でこのＰＣ鋼材をプレキャストコンクリート盤と基礎スラブにそれぞれ一端側と他端側を定着させて設けることにより、プレキャストコンクリート盤と基礎スラブとを圧着させることが可能になる。これにより、プレキャストコンクリート盤と基礎スラブとを固定部材を介してより確実に一体に固定することが可能になるとともに、プレキャストコンクリート盤と基礎スラブの間で生じる摩擦力によって応力（せん断力）を伝達させることが可能になる。
【００１７】
また、本発明の免震基礎構造においては、前記プレキャストコンクリート盤と前記基礎スラブとの間に、グラウト材が圧入して充填されていることがさらに望ましい。
【００１８】
この発明においては、プレキャストコンクリート盤と基礎スラブの間にグラウト材を充填することによって、確実にプレキャストコンクリート盤と基礎スラブとを一体に固定することが可能になる。
【００２３】
この発明においては、固定部材として定着プレート付き鉄筋を用いることにより、プレキャストコンクリート盤と基礎スラブとを固定部材を介して一体に固定することが可能になる。そして、この固定部材によって、確実にプレキャストコンクリート盤と基礎スラブの間で応力（せん断力、引張力）を伝達させることが可能になる。
【発明の効果】
【００２８】
本発明の免震基礎構造においては、水平面状の上面を備えて構築した基礎スラブ上に、予め袋ナットを埋設して形成したプレキャストコンクリート盤を設置し、固定部材によってプレキャストコンクリート盤と基礎スラブを応力伝達可能に一体に固定して免震基礎構造を構築することが可能になる。
【００２９】
そして、従来のベースプレートを用いることなく、プレキャストコンクリート盤を所定位置に設置するという簡便な操作で、袋ナットの寸法精度を容易に確保することが可能になるため、施工性の向上を図ることが可能になる。また、プレキャストコンクリート盤を用いることによってベースプレートを不要にできるため、コストの低減を図ることが可能になる。
【００３０】
さらに、水平面状の上面を備えて構築した基礎スラブ上にプレキャストコンクリート盤を設置して免震基礎構造を構築できるため、従来のベースプレートに加え、基礎スラブのダボ穴を不要にすることができるとともに、逆打ちとなる後打ちコンクリートの打設を不要にすることが可能になる。これにより、施工性及び品質の向上を図ることが可能になる。
【００３１】
よって、本発明の免震基礎構造によれば、コストダウンと工期短縮を図って、高品質の免震基礎構造を構築することが可能になる。
【図面の簡単な説明】
【００３２】
【図１】本発明の第１実施形態に係る免震基礎構造を示す図である。
【図２】本発明の第２実施形態に係る免震基礎構造を示す図である。
【図３】本発明の第２実施形態に係る免震基礎構造の変形例を示す図である。
【図４】従来の免震基礎構造を示す図である。
【発明を実施するための形態】
【００３３】
以下、図１を参照し、本発明の第１実施形態に係る免震基礎構造及び免震装置の設置方法について説明する。本実施形態は、建物に免震性能を付与する免震装置を設置するための免震基礎構造及び免震装置の設置方法に関するものである。
【００３４】
本実施形態の免震基礎構造Ｂは、図１に示すように、例えば方形盤状のプレキャストコンクリート盤１０と、このプレキャストコンクリート盤１０と建物の基礎スラブ１１とを一体に固定するための固定部材１２と、プレキャストコンクリート盤１０と基礎スラブ１１の間に圧入して充填されたグラウト材１３とを備えて構成されている。
【００３５】
プレキャストコンクリート盤１０は、鉄筋１４を埋設して形成されるとともに、上面１０ａに開口した状態で複数の袋ナット３を埋設して形成されている。さらに、このプレキャストコンクリート盤１０には、例えば、上面１０ａ及び下面１０ｂに開口してシース管が複数埋設されており、これら複数のシース管によって複数の貫通孔１０ｃが形成されている。
【００３６】
また、本実施形態の固定部材１２は、一端１２ａ側に定着プレートを備えた定着プレート付き鉄筋（差筋）であり、他端１２ｂ側を基礎スラブ１１内に埋設して定着させ、一端１２ａ側を基礎スラブ１１の上面１１ａから上方に突出させた状態で複数設けられている。定着プレート付き鉄筋１２は、その一端１２ａ側がプレキャストコンクリート盤１０の貫通孔１０ｃに下面１０ｂ側から挿入（挿通）され、貫通孔１０ｃ内に充填したグラウト材１５を介してプレキャストコンクリート盤１０に定着されている。
【００３７】
そして、この免震基礎構造Ｂは、免震装置１がプレキャストコンクリート盤１０に上載して設置され、アンカーボルト９と袋ナット３を締結することにより、アンカーボルト９と袋ナット３を介して免震装置１がプレキャストコンクリート盤１０に固定して設置される。
【００３８】
ついで、上記構成からなる免震基礎構造Ｂを構築し、免震装置１を設置する方法について説明するとともに、本実施形態の免震基礎構造Ｂ及び免震装置１の設置方法の作用及び効果について説明する。
【００３９】
免震装置１を設置する際には、はじめに、定着プレート付き鉄筋１２を所定位置に配置するとともに、定着プレート付き鉄筋１２の他端１２ｂ側を埋設するようにしてコンクリートＴ１を打設し、建物の基礎スラブ１１を構築する。そして、基礎スラブ１１のコンクリートＴ１が硬化した段階で、定着プレート付き鉄筋１２は、その他端１２ｂ側が基礎スラブ１１に定着し、一端１２ａ側が基礎スラブ１１の上面１１ａから所定の長さで上方に突出した状態で固設される。また、このとき、基礎スラブ１１は、上面１１ａを水平面状に形成して構築され、従来の免震基礎構造Ａのようにダボ穴２ａを設けることなく、すなわち浮き型枠を使用することなく構築される。このため、容易にその施工が行える。
【００４０】
ついで、基礎スラブ１１上にプレキャストコンクリート盤１０を設置する。このとき、プレキャストコンクリート盤１０の複数の貫通孔１０ｃにそれぞれ定着プレート付き鉄筋１２の一端１２ａ側を挿通させてプレキャストコンクリート盤１０を設置する。そして、本実施形態においては、基礎スラブ１１上の所定位置にプレキャストコンクリート盤１０を設置するという簡便な操作で、このプレキャストコンクリート盤１０に一体に埋設された袋ナット３が位置決めされ、寸法精度を確保して容易に配置される。
【００４１】
ついで、プレキャストコンクリート盤１０の下面１０ｂと基礎スラブ１１の上面１１ａの間にグラウト材１３を圧入して充填するとともに、プレキャストコンクリート盤１０の貫通孔１０ｃ内にグラウト材１５を圧入して充填する。これにより、定着プレート付き鉄筋１２の一端１２ａ側がグラウト材１５の硬化とともにプレキャストコンクリート盤１０に定着し、定着プレート付き鉄筋１２によってプレキャストコンクリート盤１０と基礎スラブ１１とが一体に固定される。また、プレキャストコンクリート盤１０の下面１０ｂと基礎スラブ１１の上面１１ａの間に充填したグラウト材１３が硬化するとともに、このグラウト材１３によってプレキャストコンクリート盤１０と基礎スラブ１１がさらに確実に一体に固定されることになる。
【００４２】
このように構築した免震基礎構造Ｂのプレキャストコンクリート盤１０の所定位置に免震装置１を上載し、アンカーボルト９を袋ナット３に締結することにより、免震装置１が免震基礎構造Ｂひいては建物の基礎スラブ１１と一体に固定して設置される。そして、地震時や強風時には、アンカーボルト９に生じる引張力や上部より伝わるせん断力が定着プレート付き鉄筋１２を介して基礎スラブ１１に伝達される。これにより、振動エネルギーが免震装置１で確実に吸収して減衰され、確実に免震装置１が免震性能を発揮して建物の応答を低減することが可能になる。
【００４３】
したがって、本実施形態の免震基礎構造Ｂ及び免震装置１の設置方法においては、水平面状の上面１１ａを備えて構築した基礎スラブ１１上に、予め袋ナット３を埋設して形成したプレキャストコンクリート盤１０を設置し、定着プレート付き鉄筋（固定部材）１２によってプレキャストコンクリート盤１０と基礎スラブ１１を応力伝達可能に一体に固定して免震基礎構造Ｂを構築することが可能になる。これにより、従来のベースプレート４を用いることなく、プレキャストコンクリート盤１０を所定位置に設置するという簡便な操作で、袋ナット３の寸法精度を容易に確保することが可能になり、施工性の向上を図ることが可能になる。また、プレキャストコンクリート盤１０を用いることによってベースプレート４を不要にできることで、コストの低減を図ることも可能になる。
【００４４】
また、水平面状の上面１１ａを備えて構築した基礎スラブ１１上にプレキャストコンクリート盤１０を設置するように構成することで、従来のベースプレート４に加え、基礎スラブ２のダボ穴２ａを不要にすることができるとともに、逆打ちとなる後打ちコンクリートＴ２の打設を不要にすることが可能になる。これにより、施工性及び品質の向上を図ることが可能になる。
【００４５】
よって、本発明の免震基礎構造Ｂ及び免震装置１の設置方法によれば、コストダウンと工期短縮を図って、高品質の免震基礎構造Ｂを構築することが可能になる。
【００４６】
また、固定部材として定着プレート付き鉄筋１２を用いることにより、プレキャストコンクリート盤１０と基礎スラブ１１とを定着プレート付き鉄筋１２を介して確実に一体に固定することが可能になる。このため、この定着プレート付き鉄筋１２によって、確実にプレキャストコンクリート盤１０と基礎スラブ１１の間で応力（せん断力、引張力）を伝達させることが可能になる。
【００４７】
さらに、プレキャストコンクリート盤１０と基礎スラブ１１の間にグラウト材１３を充填することによって、より確実にプレキャストコンクリート盤１０と基礎スラブ１１とを一体に固定することが可能になる。
【００４８】
ついで、図２を参照し、本発明の第２実施形態に係る免震基礎構造及び免震装置の設置方法について説明する。本実施形態は、第１実施形態と同様に、建物に免震性能を付与する免震装置を設置するための免震基礎構造及び免震装置の設置方法に関するものである。
【００４９】
本実施形態の免震基礎構造Ｃは、図２に示すように、例えば方形盤状のプレキャストコンクリート盤２０と、このプレキャストコンクリート盤２０と建物の基礎スラブ１１とを一体に固定するための固定部材２１とを備えて構成されている。
【００５０】
プレキャストコンクリート盤２０は、第１実施形態と同様に、鉄筋１４、袋ナット３、シース管を埋設して形成されており、複数のシース管によって複数の貫通孔２０ｃが形成されている。
【００５１】
また、本実施形態の固定部材２１は、例えばＰＣ鋼棒などのＰＣ鋼材であり、他端２１ｂ側を基礎スラブ１１内に埋設して定着させ、一端２１ａ側をプレキャストコンクリート盤２０の貫通孔２０ｃに挿通させるとともに、プレストレスを導入した状態でプレキャストコンクリート盤２０に定着して設けられている。これにより、プレキャストコンクリート盤２０と基礎スラブ１１とが、ＰＣ鋼材２１に導入したプレストレスによって、プレキャストコンクリート盤２０の下面２０ｂと基礎スラブ１１の上面１１ａとを圧着させて一体に固定されている。
【００５２】
ついで、上記構成からなる免震基礎構造Ｃを構築し、免震装置１を設置する方法について説明するとともに、本実施形態の免震基礎構造Ｃ及び免震装置１の設置方法の作用及び効果について説明する。
【００５３】
免震装置１を設置する際には、はじめに、ＰＣ鋼材２１を所定位置に配置するとともに、ＰＣ鋼材２１の他端２１ｂ側を埋設するようにコンクリートＴ１を打設して建物の基礎スラブ１１を構築する。そして、基礎スラブ１１のコンクリートＴ１が硬化した段階で、ＰＣ鋼材２１は、その他端２１ｂ側が基礎スラブ１１に定着し、一端２１ａ側が基礎スラブ１１の上面１１ａから所定の長さで突出した状態で固設される。また、第１実施形態と同様、基礎スラブ１１は、上面１１ａを水平面状に形成して構築され、従来の免震基礎構造Ａのようにダボ穴２ａを設けることがないため、容易にその施工が行える。
【００５４】
ついで、基礎スラブ１１上にプレキャストコンクリート盤２０を設置する。このとき、プレキャストコンクリート盤２０の複数の貫通孔２０ｃにそれぞれＰＣ鋼材２１の一端２１ａ側を挿通させてプレキャストコンクリート盤２０を設置する。そして、本実施形態においても、基礎スラブ１１上の所定位置にプレキャストコンクリート盤２０を設置するという簡便な操作で、プレキャストコンクリート盤２０に一体に埋設された袋ナット３が位置決めされ、寸法精度を確保して容易に配置される。
【００５５】
ついで、ＰＣ鋼材２１に所定のプレストレスを導入し、このＰＣ鋼材２１の一端２１ａをプレキャストコンクリート盤２０に定着させる。これにより、プレキャストコンクリート盤２０と基礎スラブ１１とがＰＣ鋼材２１によって一体に固定されるとともに、ＰＣ鋼材２１に導入したプレストレスによってプレキャストコンクリート盤２０の下面２０ｂと基礎スラブ１１の上面１１ａとが圧着される。
【００５６】
このように構築した免震基礎構造Ｃのプレキャストコンクリート盤２０の所定位置に免震装置１を上載し、アンカーボルト９を袋ナット３に締結することにより、免震装置１が免震基礎構造Ｃひいては基礎スラブ１１と一体に固定して設置される。そして、地震時や強風時には、アンカーボルト９に生じる引張力や上部より伝わるせん断力がＰＣ鋼材２１を介して基礎スラブ１１に伝達される。また、このとき、プレキャストコンクリート盤２０と基礎スラブ１１とがＰＣ鋼材２１に導入したプレストレスによって圧着されているため、互いに圧接したプレキャストコンクリート盤２０の下面２０ｂと基礎スラブ１１の上面１１ａの間に生じる摩擦力によってもせん断力が伝達される。これにより、第１実施形態の免震基礎構造Ｂに対し、振動エネルギーが免震装置１でより確実に吸収して減衰され、より確実に免震装置１が免震性能を発揮して建物の応答を低減することが可能になる。
【００５７】
したがって、本実施形態の免震基礎構造Ｃ及び免震装置１の設置方法においては、水平面状の上面１１ａを備えて構築した基礎スラブ１１上に、予め袋ナット３を埋設して形成したプレキャストコンクリート盤２０を設置し、ＰＣ鋼材（固定部材）２１によってプレキャストコンクリート盤２０と基礎スラブ１１を応力伝達可能に一体に固定して免震基礎構造Ｃを構築することが可能になる。これにより、第１実施形態と同様に、従来のベースプレート４を用いることなく、プレキャストコンクリート盤２０を所定位置に設置するという簡便な操作で、袋ナット３の寸法精度を容易に確保することが可能になり、施工性の向上を図ることが可能になる。また、プレキャストコンクリート盤２０を用いることによってベースプレート４を不要にできることで、コストの低減を図ることも可能になる。
【００５８】
また、水平面状の上面１１ａを備えて構築した基礎スラブ１１上にプレキャストコンクリート盤２０を設置するように構成することで、従来のベースプレート４に加え、基礎スラブ２のダボ穴２ａを不要にすることができるとともに、逆打ちとなる後打ちコンクリートＴ２の打設を不要にすることが可能になる。これにより、施工性及び品質の向上を図ることが可能になる。
【００５９】
よって、本発明の免震基礎構造Ｃ及び免震装置１の設置方法においても、コストダウンと工期短縮を図って、高品質の免震基礎構造Ｃを構築することが可能になる。
【００６０】
また、固定部材にＰＣ鋼材２１を用い、プレストレスを導入した状態でこのＰＣ鋼材２１をプレキャストコンクリート盤２０と基礎スラブ１１に定着させることにより、プレキャストコンクリート盤２０と基礎スラブ１１とを圧着させることが可能になる。これにより、プレキャストコンクリート盤２０と基礎スラブ１１とをＰＣ鋼材２１を介してより確実に一体に固定することが可能になるとともに、プレキャストコンクリート盤２０と基礎スラブ１１の間で生じる摩擦力によって応力（せん断力）を伝達させることが可能になる。よって、本実施形態の免震基礎構造Ｃ及び免震装置１の設置方法においては、第１実施形態よりも、より高品質の免震基礎構造Ｃを構築することが可能になる。
【００６１】
以上、本発明に係る免震基礎構造及び免震装置の設置方法の第１及び第２実施形態について説明したが、本発明は上記の第１及び第２実施形態に限定されるものではなく、その趣旨を逸脱しない範囲で適宜変更可能である。例えば、第１及び第２実施形態では、プレキャストコンクリート盤１０、２０が方形盤状に形成されているものとしたが、例えば円盤状に形成されていてもよく、特にその形状を限定する必要はない。
【００６２】
また、第２実施形態の免震基礎構造Ｃにおいては、図２に示すように、ＰＣ鋼材２１の一端２１ａ側が挿通するプレキャストコンクリート盤２０の貫通孔２０ｃの内部にグラウト材１５を充填して確実にＰＣ鋼材２１の一端２１ａ側をプレキャストコンクリート盤２０に定着させるようにしてもよい。
【００６３】
さらに、例えば図３に示すように、固定部材として、第１実施形態に示した定着プレート付き鉄筋１２と第２実施形態に示したＰＣ鋼材２１を併用するようにしてもよい。この場合には、地震時や強風時に、アンカーボルト９に生じる引張力や上部より伝わるせん断力が定着プレート付き鉄筋１２とＰＣ鋼材２１を介して基礎スラブ１１に伝達される。また、プレキャストコンクリート盤２０と基礎スラブ１１とがＰＣ鋼材２１に導入したプレストレスによって圧着されるため（図３においてはグラウト材を介して圧着されるため）、プレキャストコンクリート盤２０と基礎スラブ１１の間に生じる摩擦力によってせん断力が伝達される。これにより、振動エネルギーが免震装置１でさらに確実に吸収して減衰され、さらに確実に免震装置１が免震性能を発揮して建物の応答を低減することが可能になる。
【符号の説明】
【００６４】
１      免震装置
２      基礎スラブ
２ａ    ダボ穴
２ｂ    コンクリート打継面
３      袋ナット
４      ベースプレート
５      アンカーフレーム
６      定着プレート付き鉄筋
７      鉄筋
８      従来の免震基礎
９      アンカーボルト
１０    プレキャストコンクリート盤
１０ａ  上面
１０ｂ  下面
１０ｃ  貫通孔
１１    基礎スラブ
１１ａ  上面
１２    定着プレート付き鉄筋（固定部材）
１２ａ  一端
１２ｂ  他端
１３    グラウト材
１４    鉄筋
１５    グラウト材
２０    プレキャストコンクリート盤
２０ａ  上面
２０ｂ  下面
２０ｃ  貫通孔
２１    ＰＣ鋼材（固定部材）
２１ａ  一端
２１ｂ  他端
Ａ      従来の免震基礎構造
Ｂ      免震基礎構造
Ｃ      免震基礎構造
Ｔ１    コンクリート
Ｔ２    後打ちコンクリート
【図１】
0005458375.tif 000002
【図２】
0005458375.tif 000003
【図３】
0005458375.tif 000004
【図４】
0005458375.tif 000005